(57)【要約】【課題】システムを構成する各機器や演出具（５）を、比較的安価に製造できる赤外線を用いた演出システムを提供する。【解決手段】赤外信号発光部（３Ａ、３Ｂ）は、制御信号を含む赤外信号を観覧エリアに向けて発光し、観覧エリアで多数の観客が携帯する各演出具（５）に、赤外信号に含まれる制御信号により所定の動作を実行させる。赤外信号を、家電機器の遠隔制御に用いられるリモートコントロール信号のキャリア周波数に略等しい周波数の赤外線搬送波で、制御信号を振幅変調した被変調信号とし、家庭用のリモコンに用いられる汎用の素子を演出具（５）や赤外信号発光部（３Ａ、３Ｂ）の各部に用いることができるので、安価に演出システムを構築できる。【選択図】　図１
2004119068.tif 000002
【特許請求の範囲】
【請求項１】
夜間の屋外若しくは屋内で行われるイベントの観覧エリア内若しくは周囲の複数位置に配設され、制御信号を含む赤外信号を観覧エリアに向けて発光する赤外信号発光部（３Ａ、３Ｂ）と、
赤外信号を受光し、赤外信号に含まれる制御信号により所定の動作を実行する演出具（５）を備え、
イベントに合わせた所定のタイミングで、赤外信号発光部（３Ａ、３Ｂ）から赤外信号を発光し、観覧エリアで多数の観客が携帯する各演出具（５）に、赤外信号に含まれる制御信号により所定の動作を実行させる赤外線を用いた演出システムであって、
赤外信号発光部（３Ａ、３Ｂ）から発光する赤外信号は、家電機器の遠隔制御に用いられるリモートコントロール信号のキャリア周波数に略等しい周波数の赤外線搬送波で、制御信号を振幅変調した被変調信号であることを特徴とする赤外線を用いた演出システム。
【請求項２】
夜間の屋外若しくは屋内で行われるイベントの観覧エリア内若しくは周囲の複数位置に配設され、制御信号を含む赤外信号を観覧エリアに向けて発光する赤外信号発光部（３Ａ）と、
赤外信号を受光し、赤外信号に含まれる制御信号により所定の動作を実行する演出具（５）を備え、
イベントに合わせた所定のタイミングで、赤外信号発光部（３Ａ）から赤外信号を発光し、観覧エリアで多数の観客が携帯する各演出具（５）に、赤外信号に含まれる制御信号により所定の動作を実行させる赤外線を用いた演出システムであって、
赤外信号を到達させようとする観覧エリアの位置までの距離がＤである赤外信号発光部（３Ａ）は、赤外信号の到達距離がｄである発光ダイオード（９）が、基板上に多数配置され、
基板上の少なくとも（Ｄ／ｄ）２個の発光ダイオード（９）から、前記観覧エリアの位置に向けて同時に赤外信号を発光することを特徴とする赤外線を用いた演出システム。
【請求項３】
夜間の屋外若しくは屋内で行われるイベントの観覧エリア内若しくは周囲の複数位置に配設され、制御信号を含む赤外信号を観覧エリアに向けて発光する赤外信号発光部（３Ａ、３Ｂ）と、
赤外信号を受光し、赤外信号に含まれる制御信号により所定の動作を実行する演出具（５）を備え、
イベントに合わせた所定のタイミングで、赤外信号発光部（３Ａ、３Ｂ）から赤外信号を発光し、観覧エリアで多数の観客が携帯する各演出具（５）に、赤外信号に含まれる制御信号により所定の動作を実行させる赤外線を用いた演出システムであって、
複数位置に配設された各赤外信号発光部（３Ａ、３Ｂ）は、イベントに合わせた所定のタイミングで制御信号を発信する共通の発信制御部（２）に光ファイバー（４）で接続され、
発信制御部（２）から発信する制御信号を、光ファイバー（４）を介して各赤外信号発光部（３Ａ、３Ｂ）へ光伝送することを特徴とする赤外線を用いた演出システム。
【請求項４】
演出具（５）は、複数の表示用発光素子（６Ａ、６Ｂ）を備え、制御信号により特定の表示用発光素子（６Ａ、６Ｂ）を点灯若しくは消灯制御することを特徴とする請求項１乃至３のいずれか１項に記載の赤外線を用いた演出システム。
【発明の詳細な説明】
【０００１】
【発明の属する技術分野】
本発明は、コンサートや野外で行われるショー等のイベント中に、各観客が携帯する演出具に、発光、振動などの動作を実行させ、イベントの演出効果を高める演出システムに関し、更に詳しくは、演出具に所定の動作を実行させる制御信号を赤外線で送出する赤外線を用いた演出システムに関する。
【０００２】
【従来の技術】
コンサート、アミューズメントパーク内で定期的に行われるショー等のイベントでは、イベントの観客が表示用発光素子を備えたスティック、アクセサリー等の演出具を携帯し、イベント中に表示用発光素子を点滅させるなどして、その演出効果を高めている。
【０００３】
特に、多数の観客が携帯する演出具が、イベントの進行に合わせて同時に表示用発光素子を点滅するとより演出効果が高まるので、観客が集合する観覧エリアの周囲に発信装置を配設し、発信装置から演出具の動作を制御する制御信号を発信して演出具の表示用発光素子を点滅制御する演出システムが、特開２０００−２６０２１２号により開示されている。
【０００４】
図８は、この従来の演出システム１００を示すもので、観覧エリア１０１の周囲に、制御信号を発信する発信装置１０２が配置される。
【０００５】
発信装置１０２は、観覧エリア１０１の周囲に配設された複数の送信アンテナ１０３Ａ、１０３Ｂと通信ケーブル１０４で接続し、発信装置１０２に備えられたスイッチ１０２ａを押圧操作すると、発信装置１０２から発信される制御信号が送信アンテナ１０３Ａ、１０３Ｂに伝送され、送信アンテナ１０３Ａ、１０３Ｂから制御信号を含む電波が発信される。
【０００６】
観覧エリア１０１にイベントを観るために集合した観客は、それぞれ制御信号を含む電波を受信する受信部と、制御信号により点滅制御される表示用発光素子（いずれも図示せず）を備えた演出具１０５、１０５・・を携帯している。
【０００７】
イベントの進行に合わせて、イベント進行者が所定のタイミングで発信装置１０２のスイッチ１０２ａを押圧すると、制御信号を含む電波が観覧エリア１０１に送信され、各演出具１０５、１０５・・の表示用発光素子は制御信号により同時に点滅する。
【０００８】
従って、観客は、イベントの進行に伴って携帯している演出具１０５が点滅するので、イベントの演出者側と一体感ができ、高い演出効果が得られる。
【０００９】
【発明が解決しようとする課題】
しかしながら、この従来の演出システム１００では、演出具１０５に、制御信号を含む電波を受信し、他の電波によって誤動作しない受信部を備える必要があるので、製造単価が上昇するという問題があった。特に、この種の演出システム１００では、多数の演出具１０５を同時に点滅させるほど演出効果が上げるものであるが、演出具１０５が高価なものとなり、多くの観客に演出具１０５を携帯してもらえないという問題があった。
【００１０】
また、演出具は、そのイベントのみで動作するものなので、観客が持ち帰った後は置物としてしか利用価値がなく、その割に受信機能を備えて高価な演出具が、従来の演出システム１００を普及させる障害となっていた。
【００１１】
また、観覧エリア１０１の全ての演出具１０５に電波を送信するので、高い空中線電力で送信する必要があり、その高調波などがノイズとなってイベントに用いる音響機器の信号線に重畳する恐れがある。
【００１２】
更に、観覧エリア１０１が数百メートル幅の規模になると、発信装置１０２と送信アンテナ１０３Ａ、１０３Ｂを接続する通信ケーブル１０４の長さも長くなり、電線の抵抗と容量リアクタンスによって、制御信号が送信アンテナ１０３Ａ、１０３Ｂに達するまで無視できない程度遅れる。その結果、発信装置１０２までの通信ケーブル１０４の長さが異なる送信アンテナ１０３Ａ、１０３Ｂからは、位相のずれた制御信号を含む電波が発信され、それぞれの電波を受信する演出具１０５において、制御信号を復調できないという問題が生じる。
【００１３】
本発明はこのような問題点に鑑みてなされたもので、システムを構成する各機器や演出具を、比較的安価に製造できる赤外線を用いた演出システムを提供する。
【００１４】
また、イベントに設置された他の機器の動作に影響しない赤外線を用いた演出システムを提供する。
【００１５】
また、観覧エリアが広域であっても、各演出具を確実に動作制御する赤外線を用いた演出システムを提供する。
【００１６】
【課題を解決するための手段】
請求項１の発明による赤外線を用いた演出システムは、夜間の屋外若しくは屋内で行われるイベントの観覧エリア内若しくは周囲の複数位置に配設され、制御信号を含む赤外信号を観覧エリアに向けて発光する赤外信号発光部と、赤外信号を受光し、赤外信号に含まれる制御信号により所定の動作を実行する演出具を備え、イベントに合わせた所定のタイミングで、赤外信号発光部から赤外信号を発光し、観覧エリアで多数の観客が携帯する各演出具に、赤外信号に含まれる制御信号により所定の動作を実行させる赤外線を用いた演出システムであって、
赤外信号発光部から発光する赤外信号は、家電機器の遠隔制御に用いられるリモートコントロール信号のキャリア周波数に略等しい周波数の赤外線搬送波で、制御信号を振幅変調した被変調信号であることを特徴とする。
【００１７】
家電機器の遠隔制御に用いられるリモートコントロール信号のキャリア周波数に略等しい周波数の赤外線搬送波を用いて、制御信号を伝送するので、赤外信号を発光する赤外発光部と、赤外信号を受光する演出具のそれぞれで、汎用の赤外線送受信回路、変復調素子を用いることができ、安価に演出システム全体を構築できる。
【００１８】
また、赤外信号を受光する演出具は、同様に家電機器を遠隔制御するリモートコントロール信号をも受光し、所定のリモコン信号に復調できるので、リモートコントロール信号を受信した際に、所定の動作を実行させることができる。
【００１９】
赤外信号を受光する演出具の受光部は、夜間や屋内なので、太陽光を受けて飽和することがなく、誤動作せず、また、赤外信号がイベントに用いる他の機器の動作に影響することもない。
【００２０】
請求項２の発明による赤外線を用いた演出システムは、夜間の屋外若しくは屋内で行われるイベントの観覧エリア内若しくは周囲の複数位置に配設され、制御信号を含む赤外信号を観覧エリアに向けて発光する赤外信号発光部と、赤外信号を受光し、赤外信号に含まれる制御信号により所定の動作を実行する演出具を備え、イベントに合わせた所定のタイミングで、赤外信号発光部から赤外信号を発光し、観覧エリアで多数の観客が携帯する各演出具に、赤外信号に含まれる制御信号により所定の動作を実行させる赤外線を用いた演出システムであって、
赤外信号を到達させようとする観覧エリアの位置までの距離がＤである赤外信号発光部は、赤外信号の到達距離がｄである発光ダイオードが、基板上に多数配置され、基板上の少なくとも（Ｄ／ｄ）２個の発光ダイオードから、前記観覧エリアの位置に向けて同時に赤外信号を発光することを特徴とする。
【００２１】
発光ダイオードから光度Ｉで発光する赤外信号を、受光素子において受光し検知可能な限界距離をｄとし、そのときの発光ダイオード９から距離ｄ離れた受光素子で受ける赤外信号の照度をＥとすれば、逆二乗の法則からＥ＝Ｉ／ｄ２で表される。一方、照度Ｅで赤外信号を検知可能な同じ受光素子を用いて、観覧エリアに達する距離Ｄ離れた位置に赤外信号を到達させるためには、Ｓ倍の光度ＩＳの光源を用いる必要があり、Ｅ＝ＳＩ／Ｄ２で表される。従って、Ｉ／ｄ２＝ＳＩ／Ｄ２の関係が成り立ち、１個の発光ダイオードから発光される光度Ｉの（Ｄ／ｄ）２倍の光度の光源を用いれば、光源から距離Ｄ離れた位置まで赤外信号が到達する。観覧エリアまでの距離Ｄに対して基板上に配置される複数の発光ダイオード間の距離は無視できる程度に短いので点光源とみなし、（Ｄ／ｄ）２個の発光ダイオードから同時に発光される赤外信号の光度は（Ｄ／ｄ）２倍となり、距離Ｄ離れた位置まで到達する。
【００２２】
その結果、個々の発光ダイオードの指向角が限られていても、遠距離まで赤外信号を到達させることができるので、広範囲の観覧エリアにおいて観客が個々に持つ演出具に同時に赤外信号を到達させることができる。
【００２３】
請求項３の発明による赤外線を用いた演出システムは、夜間の屋外若しくは屋内で行われるイベントの観覧エリア内若しくは周囲の複数位置に配設され、制御信号を含む赤外信号を観覧エリアに向けて発光する赤外信号発光部と、赤外信号を受光し、赤外信号に含まれる制御信号により所定の動作を実行する演出具を備え、イベントに合わせた所定のタイミングで、赤外信号発光部から赤外信号を発光し、観覧エリアで多数の観客が携帯する各演出具に、赤外信号に含まれる制御信号により所定の動作を実行させる赤外線を用いた演出システムであって、
複数位置に配設された各赤外信号発光部は、イベントに合わせた所定のタイミングで制御信号を発信する共通の発信制御部に光ファイバーで接続され、発信制御部から発信する制御信号を、光ファイバーを介して各赤外信号発光部へ光伝送することを特徴とする。
【００２４】
共通の発信制御部と各赤外信号発光部までの距離が異なっていても、各赤外信号発光部同時に制御信号が到達するので、演出具は、複数の赤外信号発光部から赤外信号を受ける場合であっても、同位相の赤外信号を受光することができる。従って、復調エラーがないばかりか、それぞれの赤外信号が微弱な光量であっても合成され、制御信号を復調し易くなる。
【００２５】
請求項４の発明による赤外線を用いた演出システムは、演出具が、複数の表示用発光素子を備え、制御信号により特定の表示用発光素子を点灯若しくは消灯制御することを特徴とする。
【００２６】
夜間や屋内で行うイベントに用いる演出具は、表示用発光素子を点滅制御することにより引き立ち、効果的な演出を提供できる。
【００２７】
【発明の実施の形態】
以下、本発明の一実施の形態について、図１乃至図７を用いて説明する。
【００２８】
図１は、本発明の一実施の形態に係る赤外線を用いた演出システム１の概要構成を表す説明図である。この実施の形態において、赤外線を用いた演出システム１は、アミューズメントパークの広場で夜間に行われるショーのイベントに採用されているもので、コントロール室２と、複数の遠距離型赤外信号発光部３Ａ、３Ａ・・と、複数の広指向角型赤外信号発光部３Ｂ、３Ｂ・・と、これらの赤外信号発光部３Ａ、３Ｂを、コントロール室２に接続する光ファイバーケーブル４、４・・と、観客が携帯する複数の演出具５、５・・で構成されている。
【００２９】
コントロール室２は、イベントの進行に合わせて所定のタイミングで制御信号を発信する発信制御部となるもので、例えば、ショーの公演中に流されるベース音を検知する毎に、検知したタイミングで、図７の信号Ａ、Ｂ、Ｃのいずれかの包絡線である制御信号を光信号に変換して光ファイバーケーブル４へ送出する。
【００３０】
制御信号を発信するタイミングは、この例の他、イベントの主催者側の操作者が、イベントの進行に合わせて図示しないスイッチを操作し、制御信号を発信させるものであってもよい。
【００３１】
制御信号は、３ビットのデータコードをビットデータ毎にＬレベルの時間幅を異ならせるパルス距離変調（Ｐｕｌｓｅ　Ｐｉｃｈ　Ｍｏｄｕｌａｔｉｏｎ）し、その前後にリーダーコードとストップビットを組み合わせて１フレームとしたパルス波形信号であって、データコードが異なる３種類の信号Ａ、Ｂ、Ｃのいずれかが、演出具５を制御する内容により選択され発信される。
【００３２】
例えば、データコードが（０，０，１）の信号Ａは、演出具５に備えられた後述するＡ群のＬＥＤ（６Ａ）（図５参照）を点灯制御させる制御信号であり、データコードが（０，１，０）の信号Ｂは、演出具５に備えられた後述するＢ群のＬＥＤ（６Ｂ）（図５参照）を点灯制御させる制御信号であり、データコードが（０，１，１）の信号Ｃは、Ａ，Ｂ群のＬＥＤ（６Ａ、６Ｂ）を点灯制御させる制御信号である。
【００３３】
リーダーコードは、この演出システムで用いられる赤外信号を、自然光等の他の赤外信号と識別し、イベントが行われている際に、赤外信号発光部３Ａ、３Ｂから発光される赤外信号のみを演出具５が識別し動作するように、ＨレベルとＬレベルの時間幅を本システム特有の組み合わせに設定する。ここでは、図７に示すように、３ｍｓｅｃ幅のＨレベルに引き続く２ｍｓｅｃ幅のＬレベルの組み合わせを、リーダーコードとしている。
【００３４】
データコードの各ビットデータには、必ず６００ｕｓｅｃの時間幅のＨレベルが割り当てられ、ビットデータが「１」である場合には、Ｈレベルに引き続き、６００ｕｓｅｃの時間幅のＬレベルが、ビットデータが「０」である場合には、１２００ｕｓｅｃの時間幅のＬレベルが連続する。
【００３５】
遠距離型赤外信号発光部３Ａと、広指向角型赤外信号発光部３Ｂは、図１に示すように、ショーを行うステージに隣接しショーを観るために観客が集まると予想される観覧エリアの全域に、これらの発光部３Ａ、３Ｂから発光される赤外信号が漏れなく到達するように、観覧エリア内とその周囲の必要個所に配設される。
【００３６】
遠距離型赤外信号発光部３Ａは、図２に示すように、円弧状のフレーム７上に、５枚のプリント配線基板８が、円周上の３０度間隔で取り付けられ、各プリント配線基板８に、外方に向けて２８行１０列のマトリックス状に２８０個の赤外発光ダイオード９が実装されている。
【００３７】
一般に、光度Ｉの赤外信号を発光する赤外発光ダイオード９の到達距離（受光素子において赤外信号を受光可能な限界距離）をｄとし、発光ダイオード９から距離ｄ離れた受光素子で受ける赤外信号の照度をＥとすれば、逆二乗の法則からＥ＝Ｉ／ｄ２で表される。一方、照度Ｅで赤外信号を検知可能な同じ受光素子を用いて、距離Ｄ離れた位置に赤外信号を到達させるためには、Ｓ倍の光度ＩＳの光源を用いる必要があり、Ｅ＝ＳＩ／Ｄ２で表される。従って、Ｉ／ｄ２＝ＳＩ／Ｄ２の関係が成り立ち、光源から距離Ｄ離れた位置まで、赤外信号を到達させるためには、１個の赤外発光ダイオード９から発光される光度Ｉの（Ｄ／ｄ）２倍の光度の光源を用いる必要がある。
【００３８】
一方、長方形光源の大きさとなるプリント配線基板８の縦横幅は、観覧エリアへ到達させようとする赤外信号の到達距離Ｄに対し無視できる程度に小さいので、１枚のプリント配線基板８上から発光される光源を点光源とみなし、（Ｄ／ｄ）２個の赤外発光ダイオード９を配列させれば、近似的に（Ｄ／ｄ）２倍の光度が得られる。
【００３９】
ここでは、１個の赤外発光ダイオード９から発光される赤外信号の軸方向到達距離ｄを１０ｍとし、この赤外発光ダイオード９を２８０個の配列して、２８０倍の光度が得られると仮定すると、１枚のプリント配線基板８の直交方向約１６７ｍの距離まで赤外信号を到達させることができる。実際には、遠距離型赤外信号発光部３Ａに用いられる赤外発光ダイオード９は、一定の指向角を有しているので、隣り合うプリント配線基板８に実装された約半数の赤外発光ダイオード９から発光される赤外信号も受光し、約５６０倍の光度が得られることから、光源から約２３６ｍ離れたエリアまで赤外信号を到達させることができる。その結果、比較的指向角の狭い赤外発光ダイオード９を用いても広範囲の観覧エリアにある多数の演出具５へ赤外信号を送信することができる。従って、この遠距離型赤外信号発光部３Ａは、図１に示すように、観覧エリアを囲うように周囲の比較的高所に複数配置される。
【００４０】
広指向角型赤外信号発光部３Ｂは、図３に示すように、円柱状の取付フレーム１０上に、円周方向に沿って３６度間隔で、１０枚の縦長帯状のプリント配線基板１１が取り付けられ、各プリント配線基板１１に、その長手方向に沿って２８個の赤外発光ダイオード１２が実装されている。
【００４１】
赤外発光ダイオード１２は、遠距離型赤外信号発光部３Ａに用いられる赤外発光ダイオード９に比べて軸方向発光強度は低いが広指向角の特性を有し、円柱状の取付フレーム１０の全周に配列することにより、その周囲に漏れなく赤外信号を発光させるものである。
【００４２】
従って、この広指向角型赤外信号発光部３Ｂは、図１に示すように、広指向角型赤外信号発光部３Ｂの赤外信号が到達されないエリアを補うように、観覧エリア内に複数配置される。この広指向角型赤外信号発光部３Ｂは、比較的低い位置から赤外信号を発光するので、例えば、大人の影になり、赤外信号が到達しにくい幼児が持つ演出具５へも確実に赤外信号を到達させることができる。
【００４３】
各遠距離型赤外信号発光部３Ａと広指向角型赤外信号発光部３Ｂは、コントロール室２から発信される制御信号を受信すると、３８ｋＨｚ±２ｋＨｚの範囲内のキャリア周波数からなる搬送波でパルス信号である制御信号を振幅変調し、各赤外発光ダイオード９、１２から同時に赤外信号として発信する。３８ｋＨｚ±２ｋＨｚの周波数の赤外搬送波は、テレビジョン受像機やエアコン等の家電機器を遠隔制御するリモートコントロール送信機（以下、リモコンという）から送信されるリモートコントロール信号のキャリア周波数に一致させたもので、このように赤外搬送波の周波数を一致させることで、汎用して用いられているリモコン用の受光素子、発光素子、変復調素子などを、本発明に係る演出システムの各素子にそのまま使用することができ、極めて安価に演出具５や赤外信号発光部３を形成できる。また、家庭内に演出具５を持ち帰り、家庭内のリモコンで所定の動作を実行させることもできる。
【００４４】
各遠距離型赤外信号発光部３Ａ若しくは広指向角型赤外信号発光部３Ｂは、コントロール室２と、光ファイバーケーブル４を介して接続することにより、発信される制御信号を同時に受信させている。
【００４５】
上述のように、本発明においては、各遠距離型赤外信号発光部３Ａ若しくは広指向角型赤外信号発光部３Ｂが、観覧エリア内若しくは周囲の複数箇所に分散して配置されるものであり、１箇所の位置に設置されるコントロール室２との距離は、赤外信号発光部３Ａ、３Ｂ間で数１００ｍの差が生じる。この間を従来と同様に、１００ｍ当たり容量リアクタンスが１００００ｐＦ、抵抗が１ＫΩの電線を用いて接続するものとすれば、制御信号の到達時間に１００ｍ当たり１０ｕｓｅｃの時間差が生じる。その結果、複数の赤外信号発光部３Ａ、３Ｂが、それぞれ制御信号を受けて赤外信号を発信すると、演出具５は、１００ｍ当たり１０ｕｓｅｃの時間差の生じた赤外信号を、複数の赤外信号発光部３Ａ、３Ｂから同時に受信することとなる。
【００４６】
例えば、赤外信号の赤外搬送波を４０ｋＨｚとすると、１周期が２５ｕｓｅｃの赤外信号に、１０ｕｓｅｃ以上の位相差のある複数の赤外信号が重畳し、演出具５では到底復調することができないものとなる。
【００４７】
本実施の形態では、コントロール室２から発信される制御信号は、光ファイバーケーブル４による光伝送路で同時に各遠距離型赤外信号発光部３Ａ若しくは広指向角型赤外信号発光部３Ｂへ到達させ、赤外信号の発信を同期させている。
【００４８】
観客が携帯する演出具５は、例えば、図４に示すスティック状で、一端に星形の発光動作部１３と、発光動作部１３の基端に円筒状の赤外フィルターで囲まれた赤外受光部１４と、スティク状の握り部に操作スイッチ１５が備えられている。発光動作部１３は、半透明の星形カバー内に、星形の各先端位置に６個のＡ群の発光ダイオード６Ａが、星形の中央に円周上に５個のＢ群の発光ダイオード６Ｂが取り付けられている。
【００４９】
図５は、演出具５の構成を示すブロック図であり、赤外受光部１４内に配置されたフォトダイオード１６が、赤外信号発光部３Ａ、３Ｂから発光された赤外信号を受光する。赤外信号は、フォトダイオード１６で光電変換された後、その後段に接続された電流電圧変換回路１７で電圧変換され、バンドパスフィルタ１８でキャリア周波数に一致する受信信号が取り出される。この受信信号は、エンベロープフォロワーを含む波形整形回路１９で、その包絡線が取り出されて復調信号に変換される。尚、これらのフォトダイオード１６から波形整形回路１９までの各回路は、リモコンで動作制御される家電機器に備えられている汎用の受光ＩＣを、そのまま利用できる。
【００５０】
波形整形回路１９から出力される復調信号は、制御回路部２０へ入力される。制御回路部２０には、操作スイッチ１５とＡ群の６個の発光ダイオード６ＡとＢ群の５個の発光ダイオード６Ｂが接続されている。操作スイッチ１５を除く演出具５内の各回路は、演出具５に内蔵される図示しない乾電池を電源として駆動するようになっている。
【００５１】
制御回路部２０は、復調信号に含まれる制御信号をデコードし、制御信号により、上記Ａ群の発光ダイオード６ＡとＢ群の発光ダイオード６Ｂの点滅を制御するとともに、操作スイッチ１５により、別の制御を行うもので、以下、図６のフローチャートに従ってその動作を説明する。
【００５２】
赤外信号も操作スイッチ１５によるスイッチ入力も検出されない演出具５の待機状態では、赤外信号入力を判別するステップＳ１、スイッチ入力を判別するステップＳ２からなるループを繰り返し、演出具５は特に動作しない。
【００５３】
操作スイッチ１５によるスイッチ入力があると、スイッチ入力を判別するステップＳ２からステップＳ３に進み、Ａ群の発光ダイオードＡとＢ群の発光ダイオードＢを交互に点滅させる。従って、イベントが行われていない間は、操作スイッチ１５を操作することにより、発光動作部１３の星型の内外が交互に点滅するおもちゃとなる。
【００５４】
点滅動作を開始した後、ステップＳ４で例えば５秒程度のタイマーがセットされ、セットしたタイマーがオーバーフローするまで、その点滅動作が継続する。
【００５５】
タイマーがオーバーフローするとステップＳ５からステップＳ６に進み、発光ダイオードＡ、Ｂが消灯制御され、待機状態に戻る。
【００５６】
待機状態で、赤外信号の入力を判別するとステップＳ１からステップＳ７に進む。赤外信号の入力判別は、赤外搬送波の周波数が３８ｋＨｚ±２ｋＨｚの周波数であるかどうかで、判別するもので、図５のブロック図において、制御回路部２０で、パルス波形の復調信号が入力されたときに、赤外信号が入力されたと判別する。従って、演出具１がイベント中に赤外信号を受けた際のみならず、リモコンからのリモートコントロール信号を受けた際にも、ステップＳ１からステップＳ７に進む。
【００５７】
スイッチ入力を判別するステップＳ２より先に、ステップＳ１で、赤外線信号の入力を判別するので、イベント中に赤外信号が発信されている間若しくはリモコンを操作している間は、スイッチ入力があっても上記ステップＳ３の動作は行わない。これにより、制御信号による制御やリモコンによる制御を優先させ、イベント中に特定の演出具５のみが点滅しないようにしたものである。
【００５８】
ステップＳ７では、入力を判別した赤外信号が、イベント中に赤外信号発光部３Ａ、３Ｂから発光されたものであるかを、リーダーコードの有無で判別するもので、既述のように、３ｍｓｅｃ幅のＨレベルに引き続き２ｍｓｅｃ幅のＬレベルの組み合わせからなるリーダーコードを有しない復調信号である場合には、リモコン等から発光された他の赤外信号と判別し、ステップＳ８に進む。ステップＳ８では、既存の種々のリモートコントロール信号と比較し、いずれかに一致すれば、ステップＳ９に進み、発光ダイオード６Ａ、６Ｂをランダムに点滅制御する。これにより、家庭内に演出具５を持ち帰り、家電機器を制御するリモコンで発光ダイオード６Ａ、６Ｂを点滅させるおもちゃとして利用できる。
【００５９】
点滅動作が開始した後は、ステップＳ３からの処理と同様に、ステップＳ４、ステップＳ５、ステップＳ６により、タイマーセット期間中その動作が継続し、待機状態に戻る。
【００６０】
ステップＳ８でリモコンの制御信号と判別されなかった場合には、ノイズによる誤認識とみなし、ステップＳ４、ステップＳ５、ステップＳ６により、タイマーセット期間を経た後、待機状態に戻る。
【００６１】
ステップＳ７において、赤外信号が、イベント中に赤外信号発光部３Ａ、３Ｂから発光されたものと判別した場合には、更に、ステップＳ１０、１１、１２において、その復調信号に含まれるデータコードをデータコードＡ、Ｂ、Ｃと比較し、各々一致した場合には、ステップＳ１３、１４、１５に示される所定の動作を実行する。
【００６２】
ステップＳ１３、１４、１５による演出具５の動作は、観覧エリア内にある全ての演出具５が同時に実行するので、イベント中の所定のタイミング、例えば、観覧エリアに流される音楽の拍子に合わせたり、司会者のかけ声に合わせて全ての演出具５の発光ダイオード６Ａ、６Ｂが同時に点滅し、各観客がイベントの進行に一体感を持って参加できる。
【００６３】
上記の実施の形態では、夜間の屋外若しくは室内で行われるイベントで観客が所持する演出具５に対して、発光ダイオード６Ａ、６Ｂの点滅制御を行うので、演出具５の発光動作部１３の点滅が特に効果的である。しかしながら、例えば、制御信号で実行される動作は、発光ダイオード６Ａ、６Ｂの点滅動作に限らず、例えば、演出具５から所定の音を出したり、振動させるものであってもよい。
【００６４】
また、イベントの観覧エリアは、一箇所に集中する例で説明したが、複数の観覧エリアに分散させ、観覧エリア毎に制御信号を含む赤外信号を送出し、制御信号による動作を実行させるものであってもよい。例えば、ショー等のイベントを開催する広場と、遊戯装置に観客が乗車し種々のイベントを展開するアトラクション等が複合するアミューズメントパークでは、ショーのイベントで動作させた演出具５を、他のアトラクションにおいても動作制御させることができる。
【００６５】
また、制御信号を赤外信号に含めて送信するものであれば、上述の実施の形態による変調方式に限らず、他の変調方式であってもよい。
【００６６】
更に、演出具５は、上述のようなスティック状に限らず種々の形状とすることができ、また、観客が身につけるアクセサリーやバッチに上述の機能を備えさせ演出具５としてもよい。
【００６７】
【発明の効果】
以上説明したように、請求項１の発明によれば、音楽、アトラクションに同期して観客が所有する演出具が一斉に所定の動作を実行するので、観客がイベントの進行と一体感をもって参加できる。
【００６８】
複数の赤外信号発光部を、会場内及び周囲に配置することにより、背の低い幼児などが持つ演出具にも確実に赤外信号を到達させることができる一方、電波を用いないので、イベントに使用する電子機器の動作に影響を与える恐れがない。
【００６９】
演出具は、電波を受信する受信部を設ける必要がなく、更に、家庭用リモコンとして汎用されている受光素子、復調素子を用いることができるので、安価に製造できる。
【００７０】
更に、演出具は、家庭内に持ち帰った後も、リモートコントロール送信機で動作するおもちゃとして利用できるので、演出具が出回り、演出システムをより普及させることができる。
【００７１】
また、請求項２の発明によれば、多数の発光ダイオードが基板上に集中配置されることにより、赤外信号のパワーが上がり、数１００メートルの遠距離まで赤外信号を到達させることができる。
【００７２】
その結果、個々の発光ダイオードの指向角が限られたものであっても、観覧エリアの広範囲で多数の観客が持つ各演出具に同時に、効果的に赤外信号を到達させることができる。
【００７３】
また、請求項３の発明によれば、制御信号が高い周波数のものであっても、電線を用いる場合に比べ、伝送の遅延がなく、数百メートルの間隔で隔てられた赤外信号発光部間で同時に赤外信号を発光できる。従って、演出具で、複数の赤外信号発光部から赤外信号を受けても、制御信号を復調できる。
【００７４】
請求項４の発明によれば、更に、これらの発明の効果に加えて、夜間や屋内で行うイベントに用いる演出具の表示用発光素子を点滅制御するので、よりその動作が引き立ち、効果的な演出ができる。
【図面の簡単な説明】
【図１】本発明の一実施の形態に係る赤外線を用いた演出システムの概要を表す説明図である。
【図２】遠距離型赤外信号発光部３Ａの斜視図である。
【図３】指向角型赤外信号発光部３Ｂの斜視図である。
【図４】演出具５の正面図である。
【図５】演出具５の構成を示すブロック図である。。
【図６】演出具５の制御回路部２０での動作を表すフローチャートである。
【図７】リモコン信号と赤外信号に含まれる制御信号の各波形を示す波形図である。
【図８】従来の演出システム１００の概略を示す説明図である。
【符号の説明】
１　　赤外線を用いた演出システム
２　　コントロール室（発信制御部）
３Ａ　遠距離型赤外信号発光部（赤外信号発光部）
３Ｂ　広指向角型赤外信号発光部（赤外信号発光部）
４　　光ファイバー
５　　演出具
６Ａ　Ａ群のＬＥＤ（表示用発光素子）
６Ｂ　Ｂ群のＬＥＤ（表示用発光素子）
９　　赤外発光ダイオード（発光ダイオード）
【図１】
2004119068.tif 000003
【図２】
2004119068.tif 000004
【図３】
2004119068.tif 000005
【図４】
2004119068.tif 000006
【図５】
2004119068.tif 000007
【図６】
2004119068.tif 000008
【図７】
2004119068.tif 000009
【図８】
2004119068.tif 000010